(57)【要約】【課題】被接続部品に対する継手の接続が緩んだり外れたりすることを抑制することが可能な継手構造を提供する。【解決手段】スイベルジョイント２０とホース３０とを接続する継手２と、継手２とは異なる他の継手５０と継手２とを連結する回転防止部材３と、を備える。継手２は、エルボ２１に対して第１回転軸Ｏ１を中心に回転させることでエルボ２１に対して着脱可能であり、ホース３０は、継手２に対して第２回転軸Ｏ２を中心に回転させることで継手２に対して着脱可能である。第１回転軸Ｏ１は、第２回転軸Ｏ２と同じ方向であって、第２回転軸Ｏ２に直交する方向に第２回転軸Ｏ２から離れた位置にある。回転防止部材３は、第１回転軸Ｏ１を中心とする継手２の回転を制限するように、継手２と他の継手５０とを連結している。【選択図】図１
2020094598.tif 000002
【特許請求の範囲】
【請求項１】
第１接続部品と第２接続部品とを接続する継手と、
前記継手とは異なる他の部品と前記継手とを連結する回転防止部材と、
を備え、
前記継手は、前記第１接続部品に対して第１回転軸を中心に回転させることで前記第１接続部品に対して着脱可能であり、
前記第２接続部品は、前記継手に対して第２回転軸を中心に回転させることで前記継手に対して着脱可能であり、
前記第１回転軸は、前記第２回転軸と同じ方向であって、前記第２回転軸に直交する方向に前記第２回転軸から離れた位置にあり、
前記回転防止部材は、前記第１回転軸を中心とする前記継手の回転を制限するように、前記継手と前記他の部品とを連結していることを特徴とする継手構造。
【請求項２】
前記他の部品が、前記第１接続部品に接続された他の継手であることを特徴とする請求項１に記載の継手構造。
【請求項３】
前記他の部品が、前記継手と隣り合っていることを特徴とする請求項１又は２に記載の継手構造。
【請求項４】
前記回転防止部材には、前記継手が挿入される穴が形成されていることを特徴とする請求項１〜３のいずれか１項に記載の継手構造。
【請求項５】
前記回転防止部材には、前記他の部品が挿入される穴が形成されていることを特徴とする請求項１〜４のいずれか１項に記載の継手構造。
【請求項６】
前記回転防止部材が板状であることを特徴とする請求項１〜５のいずれか１項に記載の継手構造。
【発明の詳細な説明】
【技術分野】
【０００１】
本発明は、被接続部品に接続された継手を備えた継手構造に関する。
【０００２】
従来、図４に示すように、被接続部品２２０とホース２３０とを継手２０２で接続することが行われている。継手２０２は、エルボ２１１と管部材２１２とで構成されている。継手２０２にホース２３０の接続部２３０ａを螺合させる際に、スパナ等の工具６０で管部材２１２を把持しながら、レンチ等の工具７０で接続部２３０ａを回転させることで、接続部２３０ａの回転に連動して管部材２１２が回転するのを抑制している。
【０００３】
しかしながら、螺合される２つの部品のうち、一方の回転を抑えながら、他方を回転させるのは、両手を同時に使うか、２人掛かりで行う必要があり、煩雑である。
【０００４】
そこで、特許文献１には、ボルトとナットとを締め付ける際の共回りを防止する治具が開示されている。穴が形成されたプレートを、その穴にボルトヘッドまたはナットを収容するようにして、マグネットでフランジに取り付け、締付を行うと、ボルトあるいはナットの回転が穴によって阻止されるので、一方に対する他方の共回りが防止される。
【先行技術文献】
【特許文献】
【０００５】
【特許文献１】実開平６−５３０６８号公報
【発明の概要】
【発明が解決しようとする課題】
【０００６】
ここで、図５に示すように、被接続部品３２０とホース３３０とを継手３０２で接続する場合を考える。継手３０２は、被接続部品３２０側からホース３３０側に向かって、第１エルボ３１１、第１管部材３１２、第２エルボ３１３、第２管部材３１４、第３管部材３１５の順に連結されて構成されている。被接続部品３２０にはエルボ３２１が接続されており、このエルボ３２１に第１エルボ３１１が接続されている。
【０００７】
継手３０２は、エルボ３２１に対して第１回転軸Ｏ１を中心に回転させることでエルボ３２１に対して着脱可能である。ホース３３０は、継手３０２に対して第２回転軸Ｏ２を中心に回転させることで継手３０２に対して着脱可能である。第１回転軸Ｏ１は、第２回転軸Ｏ２と同じ方向であって、第２回転軸Ｏ２に直交する方向に第２回転軸Ｏ２から離れた位置にある。
【０００８】
第３管部材３１５に対してホース３３０の接続部３３０ａを締め付ける際に、スパナ等の工具で第３管部材３１５を把持しながら、レンチ等の工具で接続部３３０ａを回転させる。すると、第１回転軸Ｏ１を中心とする回転力が継手３０２に作用する。この回転力の方向は、エルボ３２１と第１エルボ３１１との螺合が緩む方向である。そのため、この回転力により、エルボ３２１と第１エルボ３１１との螺合が緩み、第１回転軸Ｏ１を中心に継手３０２が回転する。その結果、エルボ３２１と第１エルボ３１１との締付トルクが低下する。
【０００９】
このように、第２回転軸Ｏ２を中心にホース３３０を回転させて、継手３０２に対してホース３３０を着脱する際に、第１回転軸Ｏ１を中心に継手３０２が回転すれば、エルボ３２１に対して継手３０２が緩んだり外れたりするおそれがある。
【００１０】
そこで、第１回転軸Ｏ１を中心に継手３０２が回転しないように、スパナ等の工具で第１エルボ３１１などを把持しながら、接続部３３０ａの締め付けを行うことが考えられる。
【００１１】
しかしながら、第１エルボ３１１に他の構造物４０が近接している場合、工具を挿入するスペースが少なく、第１エルボ３１１などを工具で把持することができない場合がある。
【００１２】
本発明の目的は、被接続部品に対する継手の接続が緩んだり外れたりすることを抑制することが可能な継手構造を提供することである。
【課題を解決するための手段】
【００１３】
本発明は、第１接続部品と第２接続部品とを接続する継手と、前記継手とは異なる他の部品と前記継手とを連結する回転防止部材と、を備え、前記継手は、前記第１接続部品に対して第１回転軸を中心に回転させることで前記第１接続部品に対して着脱可能であり、前記第２接続部品は、前記継手に対して第２回転軸を中心に回転させることで前記継手に対して着脱可能であり、前記第１回転軸は、前記第２回転軸と同じ方向であって、前記第２回転軸に直交する方向に前記第２回転軸から離れた位置にあり、前記回転防止部材は、前記第１回転軸を中心とする前記継手の回転を制限するように、前記継手と前記他の部品とを連結していることを特徴とする。
【発明の効果】
【００１４】
本発明によると、回転防止部材が、第１回転軸を中心とする継手の回転を制限するように、継手と他の部品とを連結している。第２回転軸を中心に第２接続部品を回転させて、継手に対して第２接続部品を着脱する際に、第１回転軸を中心に継手が回転すれば、第１接続部品に対して継手が緩んだり外れたりするおそれがある。そこで、第１回転軸を中心とする継手の回転を制限するように、回転防止部材で継手と他の部品とを連結する。これにより、継手に対して第２接続部品を回転させたときの、第１接続部品に対する継手の回転を抑制できる。よって、第１接続部品に対する継手の接続が緩んだり外れたりすることを抑制できる。
【図面の簡単な説明】
【００１５】
【図１】第１実施形態の継手構造の斜視図である。
【図２】回転防止部材の平面図である
【図３】第２実施形態の継手構造の斜視図である。
【図４】従来例における継手とホースとの接続作業の斜視図である。
【図５】他の従来例における継手とホースとの接続作業の斜視図である。
【発明を実施するための形態】
【００１６】
以下、本発明の好適な実施の形態について、図面を参照しつつ説明する。以下の説明において、右側とは、図面の右側を指し、左側とは、図面の左側を指す。上下についても同様である。
【００１７】
［第１実施形態］
（継手構造の構成）
本発明の第１実施形態による継手構造は、継手構造１の斜視図である図１に示すように、継手２と、回転防止部材３と、を備えている。継手２は、スイベルジョイント（第１接続部品）２０とホース（第２接続部品）３０とを接続している。スイベルジョイント２０には、他の構造物４０が近接配置されている。なお、継手２でホース３０と接続されるものは、スイベルジョイント２０に限定されない。また、継手２でスイベルジョイント２０と接続されるものは、ホース３０に限定されず、他の継手などであってもよい。
【００１８】
本実施形態において、継手２は、５つの部材で構成されている。具体的には、継手２は、スイベルジョイント２０側からホース３０側に向かって、第１エルボ１１、第１管部材１２、第２エルボ１３、第２管部材１４、第３管部材１５の順に連結されて構成されている。第１エルボ１１および第２エルボ１３は、Ｌ字型の継手である。
【００１９】
第１エルボ１１の右側には、雄ねじが設けられており、この雄ねじが、スイベルジョイント２０に接続されたエルボ２１の雌ねじに螺合している。エルボ２１は、Ｌ字型の継手であり、継手２でホース（第２接続部品）３０と接続される第１接続部品である。
【００２０】
第１管部材１２の下側には、雄ねじが設けられており、この雄ねじが、第１エルボ１１の上側に設けられた雌ねじに螺合している。
【００２１】
第２エルボ１３の下側には、雄ねじが設けられており、この雄ねじが、第１管部材１２の上側に設けられた雌ねじに螺合している。
【００２２】
第２管部材１４の左側には、雄ねじが設けられており、この雄ねじが、第２エルボ１３の右側に設けられた雌ねじに螺合している。
【００２３】
第３管部材１５の左側には、雄ねじが設けられており、この雄ねじが、第２管部材１４の右側に設けられた雌ねじに螺合している。
【００２４】
ホース３０は、雌ねじが設けられた接続部３０ａをその左側に有しており、この接続部３０ａの雌ねじが、第３管部材１５の右側に設けられた雄ねじに螺合している。
【００２５】
継手２は、エルボ２１に対して第１回転軸Ｏ１を中心に回転させることでエルボ２１に対して着脱可能である。即ち、第１回転軸Ｏ１を中心に継手２を回転させることで、エルボ２１と第１エルボ１１との螺合を緩めたり締めたりできる。第１回転軸Ｏ１は、エルボ２１と第１エルボ１１との接続方向に沿っている。
【００２６】
ホース３０は、継手２に対して第２回転軸Ｏ２を中心に回転させることで継手２に対して着脱可能である。即ち、第２回転軸Ｏ２を中心に接続部３０ａを回転させることで、接続部３０ａと第３管部材１５との螺合を緩めたり締めたりできる。第２回転軸Ｏ２は、ホース３０と第３管部材１５との接続方向に沿っている。
【００２７】
第１回転軸Ｏ１は、第２回転軸Ｏ２と同じ方向であって、第２回転軸Ｏ２に直交する方向に第２回転軸Ｏ２から離れた位置にある。
【００２８】
回転防止部材３は、他の継手５０と継手２とを連結している。具体的には、回転防止部材３は、第１エルボ１１と他の継手５０とを連結している。ここで、他の継手５０は、継手２とは異なる他の部品であり、本実施形態では、スイベルジョイント２０に接続されて、継手２と隣り合っている。
【００２９】
回転防止部材３の平面図である図２に示すように、回転防止部材３は、板状の部材である。回転防止部材３には、第１エルボ１１が挿入される穴１８と、他の継手５０が挿入される穴１９とが形成されている。
【００３０】
このような構成において、第３管部材１５に対してホース３０の接続部３０ａを締め付ける際に、スパナ等の工具で第３管部材１５を把持しながら、レンチ等の工具で接続部３０ａを回転させる。これにより、接続部３０ａの回転に連動して第３管部材１５が回転するのが抑制される。
【００３１】
しかしながら、工具で接続部３０ａを回転させると、第１回転軸Ｏ１を中心とする回転力が継手２に作用する。この回転力の方向は、エルボ２１と第１エルボ１１との螺合が緩む方向である。そのため、この回転力により、エルボ２１と第１エルボ１１との螺合が緩み、回転軸Ｏ１を中心に継手２が回転する。その結果、エルボ２１と第１エルボ１１との締付トルクが低下する。
【００３２】
このように、第２回転軸Ｏ２を中心にホース３０を回転させて、継手２に対してホース３０を着脱する際に、第１回転軸Ｏ１を中心に継手２が回転すれば、エルボ２１に対して継手２が緩んだり外れたりするおそれがある。
【００３３】
そこで、第１回転軸Ｏ１を中心に継手２が回転しないように、スパナ等の工具で第１エルボ１１などを把持しながら、接続部３０ａの締め付けを行うことが考えられる。
【００３４】
しかしながら、第１エルボ１１に他の構造物４０が近接しているため、スパナ等の工具を挿入するスペースが少なく、第１エルボ１１などを工具で把持することができない場合がある。
【００３５】
そこで、第１回転軸Ｏ１を中心とする継手２の回転を制限するように、回転防止部材３で継手２と他の継手５０とを連結している。具体的には、回転防止部材３で第１エルボ１１と他の継手５０とを連結している。これにより、継手２に対してホース３０を回転させたときの、エルボ２１に対する継手２の回転を抑制できる。よって、エルボ２１に対する継手２の接続が緩んだり外れたりすることを抑制できる。
【００３６】
また、回転防止部材３で継手２と連結される他の継手５０が、スイベルジョイント２０に接続されている。よって、他の継手５０がスイベルジョイント２０から離れた位置にある場合に比べて、継手２と他の継手５０との連結を容易に行うことができる。
【００３７】
また、回転防止部材３で継手２と連結される他の継手５０が、継手２と隣り合っている。よって、他の継手５０が継手２から離れた位置にある場合に比べて、継手２と他の継手５０との連結を容易に行うことができる。
【００３８】
また、回転防止部材３に継手２が挿入される穴１８が形成されている。よって、継手２をこの穴１８に挿入することで、他の継手５０との連結を容易に行うことができる。
【００３９】
また、回転防止部材３に他の継手５０が挿入される穴１９が形成されている。よって、他の継手５０をこの穴１９に挿入することで、継手２との連結を容易に行うことができる。
【００４０】
また、回転防止部材３が板状である。よって、回転防止部材３がブロック状などである場合に比べて、回転防止部材３を配置するためのスペースを小さくできるので、スイベルジョイント２０の周りのスペースが限られている場合であっても、継手２と他の継手５０との連結を好適に行うことができる。
【００４１】
なお、回転防止部材３が、第１エルボ１１と他の継手５０とを連結する構成に限定されず、第１管部材１２、第２エルボ１３、第２管部材１４、および、第３管部材１５のいずれかと他の継手５０とを連結する構成であってもよい。このような構成であっても、継手２に対してホース３０を回転させたときの、エルボ２１に対する継手２の回転を抑制できる。
【００４２】
（効果）
以上に述べたように、本実施形態に係る継手構造１によれば、回転防止部材３が、第１回転軸Ｏ１を中心とする継手２の回転を制限するように、継手２と他の継手５０とを連結している。第２回転軸Ｏ２を中心にホース３０を回転させて、継手２に対してホース３０を着脱する際に、第１回転軸Ｏ１を中心に継手２が回転すれば、エルボ２１に対して継手２が緩んだり外れたりするおそれがある。そこで、第１回転軸Ｏ１を中心とする継手２の回転を制限するように、回転防止部材３で継手２と他の継手５０とを連結する。これにより、継手２に対してホース３０を回転させたときの、エルボ２１に対する継手２の回転を抑制できる。よって、エルボ２１に対する継手２の接続が緩んだり外れたりすることを抑制できる。
【００４３】
また、回転防止部材３で継手２と連結される他の継手５０が、スイベルジョイント２０に接続されている。よって、他の継手５０がスイベルジョイント２０から離れた位置にある場合に比べて、継手２と他の継手５０との連結を容易に行うことができる。
【００４４】
また、回転防止部材３で継手２と連結される他の継手５０が、継手２と隣り合っている。よって、他の継手５０が継手２から離れた位置にある場合に比べて、継手２と他の継手５０との連結を容易に行うことができる。
【００４５】
また、回転防止部材３に継手２が挿入される穴１８が形成されている。よって、継手２をこの穴１８に挿入することで、他の継手５０との連結を容易に行うことができる。
【００４６】
また、回転防止部材３に他の継手５０が挿入される穴１９が形成されている。よって、他の継手５０をこの穴１９に挿入することで、継手２との連結を容易に行うことができる。
【００４７】
また、回転防止部材３が板状である。よって、回転防止部材３がブロック状などである場合に比べて、回転防止部材３を配置するためのスペースを小さくできるので、スイベルジョイント２０の周りのスペースが限られている場合であっても、継手２と他の継手５０との連結を好適に行うことができる。
【００４８】
［第２実施形態］
次に、第２実施形態の継手構造について、図面を参照しつつ説明する。なお、第１実施形態と共通する構成およびそれにより奏される効果については説明を省略し、主に、第１実施形態と異なる点について説明する。なお、第１実施形態と同じ部材については、第１実施形態と同じ符号を付している。
【００４９】
（継手構造の構成）
図３に示すように、第２実施形態の継手構造１０１は、継手１０２と、第１実施形態と同様の回転防止部材３と、を備えている。
【００５０】
本実施形態において、継手１０２は、６つの部材で構成されている。具体的には、継手１０２は、スイベルジョイント２０側からホース３０側に向かって、第１エルボ１１１、第２エルボ１１２、Ｔ字管部材１１３、第３エルボ１１４、第１管部材１１５、第２管部材１１６の順に連結されて構成されている。第１エルボ１１１、第２エルボ１１２および第３エルボ１１４は、Ｌ字型の継手である。Ｔ字管部材１１３は、Ｔ字型の継手である。
【００５１】
第１エルボ１１１の右側には、雄ねじが設けられており、この雄ねじが、スイベルジョイント２０に設けられた雌ねじに螺合している。
【００５２】
第２エルボ１１２の下側には、雄ねじが設けられており、この雄ねじが、第１エルボ１１１の上側に設けられた雌ねじに螺合している。
【００５３】
Ｔ字管部材１１３の左側には、雄ねじが設けられており、この雄ねじが、第２エルボ１１２の右側に設けられた雌ねじに螺合している。
【００５４】
第３エルボ１１４の左側には、雄ねじが設けられており、この雄ねじが、Ｔ字管部材１１３の右側に設けられた雌ねじに螺合している。
【００５５】
第１管部材１１５の左側には、雄ねじが設けられており、この雄ねじが、第３エルボ１１４の右側に設けられた雌ねじに螺合している。
【００５６】
第２管部材１１６の左側には、雄ねじが設けられており、この雄ねじが、第１管部材１１５の右側に設けられた雌ねじに螺合している。
【００５７】
ホース３０は、雌ねじが設けられた接続部３０ａをその左側に有しており、この接続部３０ａの雌ねじが、第２管部材１１６の右側に設けられた雄ねじに螺合している。
【００５８】
継手１０２は、スイベルジョイント２０に対して第１回転軸Ｏ１を中心に回転させることでスイベルジョイント２０に対して着脱可能である。即ち、第１回転軸Ｏ１を中心に継手１０２を回転させることで、スイベルジョイント２０と第１エルボ１１１との螺合を緩めたり締めたりできる。第１回転軸Ｏ１は、スイベルジョイント２０と第１エルボ１１１との接続方向に沿っている。
【００５９】
ホース３０は、継手１０２に対して第２回転軸Ｏ２を中心に回転させることで継手１０２に対して着脱可能である。即ち、第２回転軸Ｏ２を中心に接続部３０ａを回転させることで、接続部３０ａと第２管部材１１６との螺合を緩めたり締めたりできる。第２回転軸Ｏ２は、ホース３０と第２管部材１１６との接続方向に沿っている。
【００６０】
第１回転軸Ｏ１は、第２回転軸Ｏ２と同じ方向であって、第２回転軸Ｏ２に直交する方向に第２回転軸Ｏ２から離れた位置にある。
【００６１】
回転防止部材３は、他の継手１５０と継手２とを連結している。具体的には、回転防止部材３は、Ｔ字管部材１１３と他の継手１５０とを連結している。ここで、他の継手１５０は、継手１０２とは異なる他の部品であり、本実施形態では、スイベルジョイント２０に接続されて、継手１０２と隣り合っている。
【００６２】
このような構成において、第２管部材１１６に対してホース３０の接続部３０ａを締め付ける際に、スパナ等の工具で第２管部材１１６を把持しながら、レンチ等の工具で接続部３０ａを回転させる。これにより、接続部３０ａの回転に連動して第２管部材１１６が回転するのが抑制される。
【００６３】
しかしながら、工具で接続部３０ａを回転させると、第１回転軸Ｏ１を中心とする回転力が継手１０２に作用する。この回転力の方向は、スイベルジョイント２０と第１エルボ１１１との螺合が緩む方向である。そのため、この回転力により、スイベルジョイント２０と第１エルボ１１１との螺合が緩み、第１回転軸Ｏ１を中心に継手１０２が回転する。その結果、スイベルジョイント２０と第１エルボ１１１との締付トルクが低下する。
【００６４】
このように、第２回転軸Ｏ２を中心にホース３０を回転させて、継手１０２に対してホース３０を着脱する際に、第１回転軸Ｏ１を中心に継手１０２が回転すれば、スイベルジョイント２０に対して継手１０２が緩んだり外れたりするおそれがある。
【００６５】
そこで、第１回転軸Ｏ１を中心とする継手１０２の回転を制限するように、回転防止部材３で継手１０２と他の継手１５０とを連結している。具体的には、回転防止部材３でＴ字管部材１１３と他の継手１５０とを連結している。これにより、継手１０２に対してホース３０を回転させたときの、スイベルジョイント２０に対する継手１０２の回転を抑制できる。よって、スイベルジョイント２０に対する継手１０２の接続が緩んだり外れたりすることを抑制できる。
【００６６】
その他にも、第２実施形態では、第１実施形態と同様の効果を奏する。
【００６７】
なお、回転防止部材３が、Ｔ字管部材１１３と他の継手１５０とを連結する構成に限定されず、第１エルボ１１１、第２エルボ１１２、第３エルボ１１４、第１管部材１１５、第２管部材１１６のいずれかと他の継手１５０とを連結する構成であってもよい。このような構成であっても、継手１０２に対してホース３０を回転させたときの、スイベルジョイント２０に対する継手１０２の回転を抑制できる。
【００６８】
以上、本発明の実施形態を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【符号の説明】
【００６９】
１，１０１  継手構造
２，１０２  継手
３  回転防止部材
１１  第１エルボ
１２  第１管部材
１３  第２エルボ
１４  第２管部材
１５  第３管部材
１８，１９  穴
２０  スイベルジョイント
２１  エルボ
３０  ホース
３０ａ  接続部
４０  他の構造物
５０  他の継手
６０  工具
７０  工具
１１１  第１エルボ
１１２  第２エルボ
１１３  Ｔ字管部材
１１４  第３エルボ
１１５  第１管部材
１１６  第２管部材
１５０  他の継手
２０２  継手
２１１  エルボ
２１２  管部材
２２０  被接続部品
２３０  ホース
２３０ａ  接続部
３０２  継手
３１１  第１エルボ
３１２  第１管部材
３１３  第２エルボ
３１４  第２管部材
３１５  第３管部材
３２０  被接続部品
３２１  エルボ
３３０  ホース
３３０ａ  接続部
【図１】
2020094598.tif 000003
【図２】
2020094598.tif 000004
【図３】
2020094598.tif 000005
【図４】
2020094598.tif 000006
【図５】
2020094598.tif 000007